(57)【特許請求の範囲】
【請求項１】
多数のステープルを収容するとともに収容されたステープルを打出口に向けて押圧するプッシャを備えたマガジンと、該マガジン内に収容されたステープルを綴り用紙に向けて打ち出すドライバを備えたハンドル部および、前記マガジンから打ち出されて綴り用紙を貫通したステープルの脚部先端部を綴り用紙の裏面に沿って屈曲させるクリンチャを備えたクリンチャアームとを各々の後端部において回動自在に支持させるとともに、前記マガジンの上方に配置される針カバーを前記ハンドル部に担持させて設け、一端側を前記プッシャに係合させた可撓性バンドの他端部に拡大部を形成して、該拡大部を針カバーに形成した開口を貫通させて針カバーの背面側に係止させて連結するとともに、前記針カバー部材の背面両側の肩部にそれぞれ係合する突起部を前記可撓性バンドの拡大部の両側端に各々形成したことを特徴とするステープラー。
【発明の詳細な説明】
【０００１】
【発明の属する技術分野】
本発明は、マガジン内にステープルを装填する際にハンドル部材を開き操作することによって、ハンドル操作と連動させてプッシャをマガジンの後方に引き下げるようにしたステープラーに関する。
【０００２】
【従来の技術】
図５に示すように、多数のステープルＳを装填するマガジン１内に摺動可能に配置されたプッシャ２によりステープルＳをマガジン１の前端部に形成された打ち出し部３に供給し、ハンドル部４に設けたドライバ５によってマガジン１内の先頭のステープルＳをクリンチャアーム６に形成されたクリンチャ溝７に向けて打ち出すようにしたステープラーにおいて、ステープルＳを装填する際に、前記ハンドル４をマガジン１に対して回動することによって、ハンドル４と可撓性バンド８により連結されたマガジン１内のプッシャ２をマガジン内の後方へ移動させるようにして、ステープルＳの装填操作を簡単にできるようにしたステープラーが知られている。
【０００３】
可撓性バンド８は一端側がプッシャ２に係合されるとともに他端部には拡大部８ａが形成されており、該拡大部８ａをハンドル４と一体に回動操作される針カバー９に形成された開口部９ａを下面側から貫通させて、前記拡大部８ａを針カバー９の背面に係合させることによってプッシャ２と針カバー９とを連結している。マガジン１内に多量のステープルＳを装填できるようにしたステープラーでは、図６に示すように、マガジン１内でのプッシャ２の摺動ストロークが大きく設定されており、ステープルＳの装填時にはプッシャ２をマガジン１の後端部近くまで移動させてステープルをマガジン内に装填した後にハンドル部をマガジン部上にセットしたときに、針カバーに形成した開口部９ａの端縁とプッシャ２が接近して配置されるので、可撓性バンド８が屈曲されて変形してしまう。これを防止するため針カバー９の開口部９ａの長さを大きく形成して、プッシャ２に連結された可撓性バンド８が屈曲されるのを防止するようにしている。
【０００４】
【発明が解決しようとする課題】
上記のように、針カバーに形成する開口の長さを大きく形成すると、ステープル装填時に可撓性バンドに指が接触する等によって可撓性バンドが捻れて、可撓性バンドの端部に形成した拡大部が傾いて開口部を抜け出てしまうことが発生する。本発明は上記従来技術の問題点を解決し、ステープルの装填操作時に可撓性バンドに指が触れても可撓性バンドの拡大部が針カバーの開口から抜け出てしまうことのないステープラーを提供することを課題とする。
【０００５】
【課題を解決するための手段】
上記課題を解決するため本発明は、多数のステープルを収容するとともに収容されたステープルを打出口に向けて押圧するプッシャを備えたマガジンと、該マガジン内に収容されたステープルを綴り用紙に向けて打ち出すドライバを備えたハンドル部および、前記マガジンから打ち出されて綴り用紙を貫通したステープルの脚部先端部を綴り用紙の裏面に沿って屈曲させるクリンチャを備えたクリンチャアームとを各々の後端部において回動自在に支持させるとともに、前記マガジンの上方に配置される針カバーを前記ハンドル部に担持させて設け、一端側を前記プッシャに係合させた可撓性バンドの他端部に拡大部を形成して、該拡大部を針カバーに形成した開口を貫通させて針カバーの背面側に係止させて連結するとともに、前記針カバー部材の背面両側の肩部にそれぞれ係合する突起部を前記可撓性バンドの拡大部の両側端に各々形成したことを特徴とする。
【０００６】
【発明の実施の形態】
図に示す実施例に従って本発明の実施の形態を説明する。図１は本発明のステープラーの実施例であり、多数のステープルを収容するため上面が開放された箱形に形成されたマガジン１０と、前記マガジン１０内のステープルを綴り用紙に向けて打ち出すドライバ１１を備えたハンドル部１２、前記マガジン１０から打ち出されて綴り用紙を貫通したステープルの脚部先端部を綴り用紙の裏面に沿って屈曲させるクリンチャ１３を備えたクリンチャアーム１４がそれぞれの後端部において支持軸１５によって回動自在に支持されている。
【０００７】
マガジン１０の前端部には収容された先頭のステープルをマガジン１０の下面に配置される綴じ用紙に向けて打ち出す打出口１６が形成されており、更にマガジン１０内にはマガジン１０内に収容されたステープルを前記打出口１６に向けて押圧付勢させるプッシャ１７が配置されている。プッシャ１７はマガジン１０内に配置されたガイドロッド１８に沿って摺動自在に支持されており、プッシャバネ１９によりマガジン１０の前方へ向けて付勢されている。
【０００８】
ハンドル部１２には前記マガジン１０内に収容されたステープルを前記打出口１６から綴り用紙向けて打ち出すドライバ１１が一体に設けられており、ハンドル部１２の上面を押圧操作することによりマガジン１０内のステープルが打ち出される。このハンドル部１２には前記マガジン１０の上面の開放部を覆うように配置される針カバー２１が前記ドライバ１１と前記支持軸１５によって保持されており、マガジン１０内に装填されたステープルがマガジン１０の上面の開放部から飛び出してしまうのを防止してステープルが前記打出口１６に向けて供給されるようにガイドしている。
【０００９】
マガジン１０内に配置されているプッシャ１７と針カバー２１とが可撓性バンド２２により連結されており、ステープルＳの装填時には図２に示すように、ハンドル部１２と針カバー２１とをマガジン１０に対して支持軸１５を中心として大きく回動開放させる。針カバー２１が回動させられることによりマガジン１０上面が開放させられるとともに、針カバー２１とプッシャ１７とを連結している可撓性バンド２２を介してプッシャ１７がマガジン１０の後端部近くまで後退させられてマガジン１０内へステープルＳを装填することができる。
【００１０】
図３及び図４に詳細に示すように、プッシャ１７の上面に立ち上がり形成した立ち上がり壁２３に開口２４が形成されており、一端側に膨大部２５が形成された可撓性バンド２２がこの開口２４を貫通して、他端部に形成された拡大部２６が断面がコ字状に形成されている針カバー２１に形成された開口２７を下面側から貫通して拡大部２６が針カバー２１の上面側に係止されるようにして針カバー２１とプッシャ１７とが可撓性バンド２２で連結されている。
【００１１】
前記拡大部２６は、可撓性バンド２２の端部がＴ字状に幅方向に針カバー２１の幅寸法より大きく拡大されて形成されており、更にこの拡大部２６の両側端にはそれぞれバンドの一端側に形成された膨大部２５の方向に向いた突起部２８が形成されており、図４に示すように各突起部２８が針カバー２１上面の両側の肩部２１ａにそれぞれ係合できるようにしている。このように、可撓性バンド２２の他端部に形成した各突起部２８が針カバー２１の両側の肩部２１ａにそれぞれ係合することによって、可撓性バンド２２に指が触れても可撓性バンド２２の拡大部２６が捻れることが防止され、従って拡大部２６が針カバー２１の開口２７から抜けてしまうことが防止できる。
【００１２】
【発明の効果】
以上のように本発明によれば、プッシャと針カバーとを連結している可撓性バンドの端部に針カバーの背面両側の肩部にそれぞれ係合可能な突起部を拡大部の両側端に各々形成しているので、可撓性バンドに捻れが発生しても拡大部の両側端の各突起部が針カバーの両側の肩部にそれぞれ係合することにより拡大部が傾斜することが無く、従って可撓性バンドの端部が針カバーの開口から抜け出てしまうことを防止することができる。
【図面の簡単な説明】
【図１】本発明の実施例を示すステープラーの縦断側面図
【図２】図１と同じステープラーのステープル装填時の状態を示す斜視図
【図３】図１のステープラーの可撓性バンドによるプッシャと針カバーの連結状態を示す斜視図
【図４】可撓性バンドの拡大部と針カバーの係合状態を示す断面図
【図５】従来のステープラーのステープル装填時の状態を示す縦断側面図
【図６】図５と同じステープラーのステープルを装填した状態を示す縦断側面図
【符号の説明】
１０  マガジン
１２  ハンドル部
１４  クリンチャアーム
１７  プッシャ
２１  針カバー
２１ａ  肩部
２２  可撓性バンド
２５  膨大部
２６  拡大部
２７  開口
２８  突起部
【図１】
0003840981.tif 000002
【図２】
0003840981.tif 000003
【図３】
0003840981.tif 000004
【図４】
0003840981.tif 000005
【図５】
0003840981.tif 000006
【図６】
0003840981.tif 000007